(57)【要約】本発明の一つの形態において、積層成形品（１２２）を構成するためのシステムが開示される。システムは、層のスタック（１０２）を形成するために連続して１つ以上の層（１００）を積層する層供給装置（１０１）を含む。コンピューター（１０６）は、層のスタック（１０２）の一部になった後に所望の型へ各層（１００）を切断するようにレーザー（１０４）に命令する。次いで、層のスタック（１０２）は再構成可能なツール（１１２）上に置かれる。アクチュエーター（１２４）が後に再構成可能なツールピン（１１４）が所定の型へ再構成する一方、適用された圧力は、再構成可能なツール（１１２）に対する層のスタック（１０２）を圧縮する。より詳細な特定の実施態様において、合成物形成工程は、再構成可能なツールピン（１１４）が再構成される以前に、層のスタック（１０２）を圧縮するために隔板形成などのように使用される。別の特定の実施態様において、再構成可能なツールピン（１１４）が最初に再構成され、次いで、隔板形成工程は再構成可能なツール（１１２）に対して層のスタック（１０２）を圧縮するために利用される。
2004529001.tif 000002
【特許請求の範囲】
【請求項１】
層のスタックを形成するために連続して１つ以上の層を積層する層供給装置と；
前記層を切断するためのレーザーと；
所望の型へ前記層を切断するように前記レーザーに命令するコンピューターと；
前記層のスタックを型作るために操作可能である再構成可能なツールと；及び
前記再構成可能なツールを再構成するためのアクチュエーターと
を含有することを特徴とする積層成形品を構成するためのシステム。
【請求項２】
前記層のスタック及び前記再構成可能なツールを連動するための押圧をさらに含有することを特徴とする請求項１に記載のシステム。
【請求項３】
前記押圧は前記再構成可能なツールに接続する真空押圧を含むことを特徴とする請求項２に記載のシステム。
【請求項４】
前記押圧は前記再構成可能なツールに対して前記層のスタックを押圧するために前記層のスタックに対して作用された外部の機械的な力を含むことを特徴とする請求項２に記載のシステム。
【請求項５】
前記層は合成物物質で形成されることを特徴とする請求項１に記載のシステム。
【請求項６】
前記レーザーは後の除去のために前記層のある部分を切断することを特徴とする請求項１に記載のシステム。
【請求項７】
二つの弾力性隔板をさらに含有し、一つの弾力性隔板が前記層のスタックの各側に配置され、それによって前記層のスタックを含有する前記二つの弾力性隔板間で容積を形成することを特徴とする請求項１に記載のシステム。
【請求項８】
前記層のスタックを圧縮するための真空源をさらに含有し、前記真空源は前記二つの弾力性隔板間によって形成される前記容積に接続することを特徴とする請求項７に記載のシステム。
【請求項９】
前記層のスタックを硬化するための熱源をさらに含有し、前記熱源は前記二つの弾力性隔板間によって形成される前記容積に接続することを特徴とする請求項７に記載のシステム。
【請求項１０】
層のスタックを作成するために、層のスタックにレイアップする積層成形品の生産工程の利用と；
再構成可能なツールでの前記層のスタックの位置付けと；及び
前記再構成可能なツールを所望の型に形成することと
を含有することを特徴とする積層成形品を構成するための方法。
【請求項１１】
所望の型へ前記再構成可能なツールを形成する前記段階以前に、前記再構成可能なツールに対して前記層のスタックを圧縮する段階をさらに含むことを特徴とする請求項１０に記載の方法。
【請求項１２】
前記層は合成物物質から形成されることを特徴とする請求項１０に記載の方法。
【請求項１３】
前記積層成形品の生産工程は、
コンピューターでの三次元型の生成段階と；
複数の電子層への前記三次元型をスライスする段階と；
積層を形成するために連続して複数の層を供給する段階であって、それによって前記層が前記積層に供給され結合した後で、各層が所望の型にレーザー切断され、各層の前記所望の型は前記三次元型の各電子層に対応することを特徴とする段階と；及び
前記層のスタックを造るために前記層と共に圧縮する段階と
を含むことを特徴とする請求項１０に記載の方法。
【請求項１４】
前記位置付け段階は、前記再構成可能なツールが平らな位置で配置されている複数のピンを有する場合に前記再構成可能なツールに前記層のスタックを位置することを含むことを特徴とする請求項１０に記載の方法。
【請求項１５】
前記位置付け段階は、前記再構成可能なツールが湾曲部で配置されている複数のピンを有する場合に前記再構成可能なツールに前記層のスタックを位置することを含むことを特徴とする請求項１０に記載の方法。
【請求項１６】
前記再構成可能なツールに前記層のスタックを位置付けする段階以前に二つの弾力性隔板間で前記層のスタックを位置する段階をさらに含有し、それによって前記層のスタックを含む前記二つの弾力性隔板間に容積を形成することを特徴とする請求項１０に記載の方法。
【請求項１７】
前記二つの弾力性隔板間の前記容積で真空を吸引することによって前記層のスタックを圧縮する段階をさらに含有することを特徴とする請求項１６に記載の方法。
【請求項１８】
前記層のスタックを硬化する段階をさらに含有することを特徴とする請求項１６に記載の方法。
【請求項１９】
後のデキュービングのために各層のある部分をレーザー切断する段階をさらに含有することを特徴とする請求項１０に記載の方法。
【請求項２０】
層のスタックを作成するために、層のスタックにレイアップする積層成形品の生産工程の利用と；
二つの弾力性隔板間に前記層のスタックを置くことと；
所定型を生成するために形成された複数のピンを有する再構成可能なツールで前記層のスタックを含有する前記二つの弾力性隔板を置くことと；
前記層のスタックを圧縮するために前記二つの弾力性隔板間で真空吸引することと；
前記再構成可能なツールに対して前記層のスタックを圧縮することと；
所望の型に前記再構成可能なツール表面を形成することと；及び
前記層のスタックを硬化することと、
を含有することを特徴とする積層成形品を構成するための方法。
【請求項２１】
前記層は合成物物質から形成されることを特徴とする請求項２０に記載の方法。
【請求項２２】
前記積層成形品の生産工程は、
コンピューターでの三次元型の生成段階と；
複数の電子層への前記三次元型をスライスする段階と；
積層を形成するために連続して複数の層を供給する段階と；
前記層が前記積層に供給された後に所望の型に各層を切断し、各層の所望の型は前記三次元型の各電子層に対応することを特徴とする切断段階と；及び
前記層のスタックを造るために前記層と共に結合する段階と、
を含むことを特徴とする請求項２０に記載の方法。
【請求項２３】
前記切断段階は、熱源が少なくとも一つの前記弾力性隔板への接続を含むことを特徴とする請求項２０に記載の方法。
【請求項２４】
後のデキュービングのために各層のある部分をマーキングする段階をさらに含有することを特徴とする請求項２０に記載の方法。
【請求項２５】
形成中にしわ若しくは変形を緩和するための各層のある部分の射出段階をさらに含有することを特徴とする請求項２０に記載の方法。
【発明の詳細な説明】
【０００１】
本発明は一般的に物質の構成分野に関し、より詳細には積層成形品を構成するためのシステム及び方法に関する。
【０００２】
本発明の背景
積層品の製造（ＬＯＭ）は、コンピューター支援型デザイン（ＣＡＤ）ファイルから直接的に工業デザインのプロトタイプを組み立てるために使用される、商用の迅速なプロトタイプを造る工程である。ＬＯＭ工程において、ＣＡＤファイルは、組み立てられる部分の固体のモデルに最初に生成される。次いで、ＣＡＤモデルは、一連の薄い連続した層にスライスされる。次ぎに、このＣＡＤファイルは、層化される製造アプローチによってその部分の三次元モデルを構成するためにＬＯＭに迅速なプロトタイプを造るユニットへ送られる。
【０００３】
層化される製造アプローチは下記のように簡単に記載される。第一に、自動シート供給装置構造は、ＬＯＭ構造プラットフォームへ物質の単一で特大の層（織られたものか若しくはテープ）を転送する。熱したローラーは、次に構造層へ層を結合する（層の背面は一般的に温度に活性な接着剤を含む）。次いで、レーザーは、ＣＡＤファイルからの特定の“切片”層に対応する幾何学的な型に層を切断する。その部分の容積に対応しない層の領域は、後の除去のためにクロスハッチされた（ｃｒｏｓｓ−ｈａｔｃｈｅｄ）レーザーである。連続する層の転送、ラミネーション、レーザー切断及びクロスハッチング段階は、全体の品が構成（層の積層のクロスハッチされた容積に埋め込まれる）されるまでＣＡＤファイルからの各対応する幾何学的“切片”層において実行される。最終のデキュービング段階において、ラミネーションスタックのレーザーでクロスハッチされた領域は、三次元モデルを露出させるために手動で除去される。一般的に、標準的なＬＯＭ工程は、木材の三次元モデルに近い特性を有する三次元のモデルを生成する構造物質として紙の粘着性の背面シートを利用する。
【０００４】
既に記載の商用ＬＯＭ工程（指定の２Ｄ  ＬＯＭ）は、平面の構造技術は補強が構成部分の弯曲の方向に続くことを許容しない、湾曲の合成構造である、連続したファイバーを組み立てるための主用な欠点を有している。合成物の組立てにおける２Ｄ  ＬＯＭのこの特定の欠点は、湾曲のＬＯＭ工程（指定の３Ｄ  ＬＯＭ）の開発によって克服された。３Ｄ  ＬＯＭにおいて、主軸若しくはツールは、最終部分が組み立てられる２Ｄ  ＬＯＭによって第一に生成される。ツールは、全面的な湾曲部分の幾何学的配置を生成するための型として役立つ。したがって、工程は、ツールの表面に積層成形品の層が連続して掛けられ、柔軟なエラストマーの熱した隔板で固められるという点で従来の合成物工程に似ている。近年、特別なＬＯＭテープの形態は、様々な金属、セラミック、ポリマー及び合成物物質の部分的な組み立てを可能にする際に生成される。合成物構成部分を組み立てるためのＬＯＭの利点は、シート物質の工程に対するその固有の適応性、オートメーションのその高い度合い、及び工程が（生成する主軸以外に）ツーリング（ｔｏｏｌｉｎｇ）を必要としない追加的な利益に依存する。
【０００５】
低いラミネーション温度を必要とする物質で組み立てる部分において、標準的なＬＯＭ紙は、主軸／ツールにおける構成物質としてしばしば充足している。しかしながら、より高いラミネーション温度、及び／若しくは圧縮圧力を必要とする、ラミネートテープ、層、若しくはプリプレグ材において、主軸／ツールにおける代替物質が必要とされる。それらの物質からかかる主軸／ツールを組み立てるために必要な時間、費用、及び技術的な発展は、所望の部分の必要な時間、費用、及び技術的な発展と等しい。３Ｄ  ＬＯＭのこれらのツーリングの必要条件は、工程を、効果的で迅速なプロトタイプを造る技術（特にプロトタイプを合成する迅速な合成物において）のようにそれほど魅力的でなくする。要求される主軸／ツール型を生成するための迅速な方法は、３Ｄ  ＬＯＭをより存在可能な迅速なプロトタイプを造る工程にするために必要である。加えて、複雑な湾曲を備える合成物部分を生成するための迅速な方法は３Ｄ  ＬＯＭの可能性を増大し、引き延ばすために必要とする。
【０００６】
別の迅速なプロトタイプを造る技術は、再構成可能なツーリング（ＲＴ）を活用する。一般的に、再構成可能なツーリングは、横断面の幾何学的配置が特別の成形加工の適用に依存して一様でないかもしれない個別のアレイで移動可能な金属ピンからなる。再構成可能なツーリングは、一連のツーリング表面を生成する個別のピンの迅速な位置を変えることを可能にするために、コンピューターソフト・アルゴリズムと接続される。通常は、エラストマーのインターポレーティング層は、再構成可能なツール表面とダイピンによって引き起こされる陥凹形成部分を除去するために形成される物質との間に配置される。このインターポレーティング層は、より滑らかなツール表面の輪郭を生成する。最初に、ＲＴはシート金属部分において迅速なプロトタイプを造るために利用される。しかしながら、近年、ＲＴは様々な金属、セラミック、ポリマー及び合成物物質からの組み立てを可能にすることを発展してきた。合成物構成部分の組み立てにおけるＲＴの利点は、シート物質を形成するための固有の能力及びオートメーションの高い度合いに基づく。ＲＴの概念は、合成物を形成し、ＬＯＭに基づいたプロトタイプを造る技術の両者の能力を高めて拡張するために複雑な弯曲を備えた合成部分を生成する迅速な方法として必要である。
【０００７】
これらのシステム及び方法が先のアプローチに関する著しい改良を提供している一方、物質構造の分野での挑戦は、柔軟性及び適応性がより高く、より良い技術の需要を伴う増加を継続した。したがって、積層成形品を構成するための新規で迅速なシステム及び方法の必要がある。
【０００８】
本発明の概要
本発明にしたがって、積層成形品を構成するためのシステム及び方法は、以前に発展したシステム及び方法に関連した欠点及び問題を実質上除去するか縮小する際に提供される。
【０００９】
積層成形品を構成するためのシステムが開示される。システムは、層のスタックを形成するために連続して１つ以上の層を積み重ねる層の供給装置を含む。コンピューターは、層のスタックの一部になった後に所望の型へ各層を切断するようにレーザーに命令する。次いで、層のスタックは再構成可能なツール上に置かれる。アクチュエーターが後に再構成可能なツール要素が所定の型へ再構成している一方、適用された圧力は、再構成可能なツールに対する層のスタックを圧縮する。より詳細な特定の実施態様において、合成物形成工程は、再構成可能なツール要素が再構成される以前に、層のスタックを圧縮するために隔板形成のように使用される。
【００１０】
積層成形品を構成するための方法が開示される。この方法は４つの段階を含む。段階１は、層のスタックを作成するために、層のスタックにレイアップする積層品の生産工程の利用という。段階２は再構成可能なツールでの層のスタックの位置付けを必要とする。段階３は、再構成可能なツールに対する層のスタックを圧縮することと呼ばれ、最終段階は再構成可能なツールを所望の型への形成と呼ばれる。より特定の実施態様において、追加的な段階は、２つの弾力性隔板間の層のスタックを配置し、所望の型へ再構成可能なツールを形成する段階以前に層のスタックを圧縮するために提供する。
【００１１】
本発明の技術的な利点は、３ＤＬＯＭの合成物などの高温物質工程において適切なＬＯＭ主軸／ツールの迅速な生成である。それらの高温度ツールを発展させ、組み立てる時間及びコストは、構成される実際の構造の時間及びコストと伝統的に等しい。
【００１２】
本発明の別の技術的利点は、複雑な湾曲を備える合成物構造を組み立てるＬＯＭ及びＲＴを利用するための性能である。合成物構造を組み立てるためのＬＯＭの利点は、シート物質を工程するためにその固有の性能、オートメーションの固有の高い度合い、及び工程が永久のツーリングを必要としない追加的な利点に基づく。合成物構造を組み立てるためのＲＴの利点は、シート物質の形成及びオートメーションのその高い度合いにおける固有の性能に依存する。
【００１３】
本発明の追加的な技術的利点は、形成する合成物の能力を拡張しており、最終形成工程以前のＬＯＭに基づいたレーザーの切断及び射出段階を備える、複雑な設計及び型のより広い範囲に帰着することである。最終形成以前の自動化されたレーザーの切断及び射出段階は、形成中の物質のしわとゆがみを最小限にする。
【００１４】
本発明のより完全な理解及びさらなる特質及び利点のために、添付の図面と共に得られる下記の記載が論及される。
【００１５】
本発明の詳細な記載
本発明の好ましい実施態様及びその好ましい利点は、同一の参照数字が同一部分を示す、図１乃至４の詳細な記載を参照することによって理解される。
【００１６】
図１は、本発明と一致する積層品の製造（“ＬＯＭ”）工程を例示する概略図である。ＬＯＭは、コンピューター支援型デザイン（“ＣＡＤ”）ファイルから工業的デザインのプロトタイプを組み立てる技術において周知の迅速なプロトタイプを造る工程である。典型的なＬＯＭ工程において、通常自動化されている層の供給装置１０１は、層１００を構成プラットフォーム９８に供給する。層のスタック１０２を形成するためにローラー９６は層と共に結合している。層１００は、一般的に、温度的に活性な接着剤を含む、紙の厚いシートと同様のテープ物質である。しかしながら、層１００は、金属、セラミック、ポリマー若しくは合成物などのシート物質の別の種類である。一般的に、ローラー９６は、ローラーが層１００の長さに沿って回転するので、ローラーが層１００に対する圧力を用いている場合、熱は層１００の後ろの接着剤を活性化して、それによって層１００の真下の層１００に結合するような加熱されたローラーである。各層１００が構成プラットフォーム９８に供給されて、コンピューター１０６はレーザー１０４が所望の型の各層１００に切断するように導く。層１００のある部分１２０は、その後の除去のためにクロスハッチされる。この除去は、時々、デキュービングと呼ばれる。デキュービングは、三次元のプロトタイプを露出するためにクロスハッチされた部分１２０を取り除く。本発明を用いて利用可能な複雑な型の範囲を拡張するために、ＬＯＭ工程において射出段階は採用されるかもしれない。層１００が積層されているので、所望の型及びクロスハッチング部分１２０の切断に加えて、レーザー１０４は、各層１００のスロット若しくはスリットなどのＶ型ノッチ若しくは他の方を切断するだろう。層のスタック１０２が複雑な形に形成されているので、この射出段階は、層１００のしわを緩和する。この工程は、層１００が複数の形態上に、良好に適合することを可能にする工程に仕立てることに似ている。層のスタック１０２が一旦完成されると、図２で示されるような再構成可能なツール１１２に転送される。
【００１７】
図２は、本発明と一致する積層成形品を構成する一つの方法を例示する概略図である。示される方法は、隔板形成及び再構成可能なツーリングの組み合わせである。合成物形成の技術で周知である隔板形成において、弾力性隔板１０８は層のスタック１０２の上部に配置され、インターポレーティング層１１０はサンドイッチ状構造を形成するために層のスタック１０２の下側に配置される。下記で議論される図３は、このサンドイッチ状構造をより詳細に例示する。弾力性隔板１０８及びインターポレーティング層１１０は、一般的にポリマーである同様の物質から名目上なる。しかしながら、ポリウレタン、ラバー及びネオプレンなどの他の物質からなるかもしれない。それらの柔軟な層は、合成物形成の技術において周知である。弾力性隔板１０８及びインターポレーティング層１１０の両者は、典型的には金属で一般に作られているフレーム１３０内に包まれる。フレーム１３０の一つの目的は、それらの柔軟な物質を容易く取り扱うことを可能にすることである。フレーム１３０は、目的の取り扱いに関して十分に固い限り、どんな型の物質からなることができる。
【００１８】
図２を参照するに、弾力性隔板１０８、層のスタック１０２及びインターポレーティング層１１０を造り上げるサンドイッチ状構造は、再構成可能なツール１１２の上部に位置して示される。特定の適用に依存して、再構成可能なツール１１２は、層のスタック１０２がその上部に位置する場合、平らな位置若しくはわずかに湾曲した位置などの任意の初期の形態として形成できる。真空源１１６は、弾力性隔板１０８及びインターポレーティング層１１０との間の容積と接続している。真空は層のスタック１０２を圧縮するためにこの容積上で吸引され、それによって層のスタック１０２の効果的な形成を容易にする。真空の押圧１３２は、再構成可能なツール１１２に接続している。真空は吸引作用を造るために再構成可能なツール１１２で吸引され、それによって層のスタック１０２は、ピン１１４によって定義される表面である、再構成可能なツール１１２の表面に対して押圧される。空気、油あるいは別の再構成可能なツールピンアレイのような媒体を加圧する代替物を表わすかもしれない押圧１２８は、層のスタック１０２の効率的な形成を促進する再構成可能なツール１１２の下から吸引されている真空に加えて、再構成可能なツール１１２上からの外部の機械的な力を適用するかもしれない。しかしながら、真空の押圧１３２若しくは押圧１２８の何れかは層のスタック１０２に唯一の力を適用するかもしれない。特定の実施態様において、層のスタック１０２が、外部の熱、層のスタック自身の重量、若しくは両者の組合せの作用によって再構成可能なツール１１２に対して自然に変形できる場合に、真空の押圧１３２若しくは押圧１２８の何れも再構成可能なツール１１２の表面に層のスタック１０２を強いるために使用されない。
【００１９】
さらに、図２は再構成可能なツール１１２に接続するアクチュエーター１２４を示している。アクチュエーター１２４は再構成可能なツール１１２のピン１１４の位置を決定するために使用される機能である。一般的には、アクチュエーター１２４は電動ギヤー構造であるか、若しくは各ピンに専属の個々の構造で構成されるかもしれない。それらの機能は再構成可能なツーリングの技術において周知である。しかしながら、アクチュエーター１２４は水圧若しくは空気作用機能などの他の型の機能を含むかもしれない。再構成可能なツール１１２のピン１１４の位置付けは自動化であるかもしれないし若しくは自動化でないかもしれないが、典型的には自動化されている。層のスタック１０２の圧縮及び再構成可能なツール１１２の表面へ層のスタック１０２の強要後、アクチュエーター１２４は所定の型にピン１１４を型変更可能にするために使用される。この型は、その最終形態での積層成形品１２２における所望の型である。また、以前のシークエンスは、最終のツール型が最初に再構成され、その後さらに再構成可能なツール１１２の表面に対する物質を形成するために層のスタック１０２に真空若しくは圧力が適用される際に（特定部分の幾何学的配置に依存して）保存される。熱源１１８は、層１００で使用される物質の型に依存して層のスタック１０２を硬化するために、層のスタック１０２に接続されるかもしれない。熱源１１８は合成物物質の硬化の技術において周知である任意の従来の熱源であるかもしれないが、しかし一般的に放射熱、ブローエアー（伝達性）熱、若しくは加熱ブランケットのいずれかである。ピン１１４の再構成後、及び任意の所望の硬化後、積層成形品１２２は弾力性隔板１０８及びインターポレーティング層１１０との間から除去される。ＬＯＭの組み合わせ、再構成可能なツーリング、及び隔板形成は積層成形品１２２の複雑なデザイン及び型を可能にする。
【００２０】
図３は、弾力性隔板１０８及びインターポレーティング層１１０との間のサンドイッチ状の層のスタック１０２をより詳細に例示する。層のスタック１０２は、層１００及びクロスハッチされた部分１２０を含む。再構成可能なツール１１２のピン１１４がまた示される。ピン１１４は、半円形であるヘッド型を有するように示される。ピン１１４のヘッドにおいて使用できる多くの別の型がある。実施例として、ピン１１４は、ピンが正方形型若しくは長方形型である場合にコーン型ヘッドを有するかもしれない。さらに、ピン１１４は平らなプレートからなるかもしれない。ピン１１４の個別の形態のために、積層成形品１２２の陥凹形成が起こるかもしれない。一般的にこの理由で既に言及されたインターポレーティング層１１０が使用される。インターポレーティング層１１０は、形成中における層のスタック１０２のどんな陥凹形成の影響も緩和する。しかしながら、インターポレーティング層は必要とされず、隔板形成工程から除外されるかもしれない。同様なことが弾力性隔板１０８で行なわれ、さらに隔板形成工程から除外されるかもしれない。さらに、弾力性隔板１０８若しくはインターポレーティング層１１０のいずれも使用されないことが可能である。この場合、隔板形成工程は存在せず、整合した再構成可能なツールセットを使用することなどの異なる合成物形成工程が使用されるか、若しくは層のスタック１０２が層のスタック自身の重量下で形成するために十分に密であるかのいずれかである。
【００２１】
図４は、本発明と一致する積層成形品を構成する一つの方法を表示するフローチャートである。一つの実施態様において、ＬＯＭ工程は段階３００で層のスタック１０２を造るために活用される。ＬＯＭ工程は、段階３０２でコンピューター１０６の三次元型を生成する副段階、段階３０４で電子層に三次元型をスライスする副段階、段階３０６で積層を形成するために層１００の供給及び結合する副段階、段階３０８でその電子層に対応する型へ層１００を切断する副段階、及び層のスタック１０２が形成されるまで段階３１０でシークエンスの供給／結合／切断を繰り返す副段階を含む。次いで、層のスタック１０２は段階３１２において、弾力性隔板１０８とインターポレーティング層１１０との間に位置する。その後、弾力性隔板１０８、層のスタック１０２、及びインターポレーティング層１１０は、段階３１４で再構成可能なツール１１２上に配置される。層のスタック１０２は、段階３１６において弾力性隔板１０８とインターポレーティング層１１０との間の容積で真空吸引することによって、圧縮される。次いで、弾力性隔板１０８、層のスタック１０２、及びインターポレーティング層１１０は、段階３１８において再構成可能なツール１１２の表面に対して押圧される。また、再構成可能なツール１１２の表面は段階３２０において所望の型に形成される。さらに、デキュービング段階は、クロスハッチされた部分１２０がマークされた後でならばいつでも実行される。
【００２２】
本発明の実施態様及び本発明の利点が詳細に記載されたが、特許請求の範囲によって定義される本発明の趣旨及び範囲を逸脱しなければ、当業者は様々な修正、追加、及び削除が可能である。
【図面の簡単な説明】
【図１】
本発明と一致する層のスタックを構成する一の方法を例示する概略図である。
【図２】
本発明と一致する積層成形品を構成する一の方法を例示する概略図である。
【図３】
本発明の実行において有用な再構成可能なツーリングピン、インターポレーター、積層成形品、及び弾力性隔板をより詳細に例示する。
【図４】
本発明と一致する積層成形品を構成する一つの方法を表示するフローチャートである。
【図１】
2004529001.tif 000003
【図２】
2004529001.tif 000004
【図４】
2004529001.tif 000005
【国際公開パンフレット】
2004529001.tif 000006
2004529001.tif 000007
2004529001.tif 000008
2004529001.tif 000009
2004529001.tif 000010
2004529001.tif 000011
2004529001.tif 000012
2004529001.tif 000013
2004529001.tif 000014
2004529001.tif 000015
2004529001.tif 000016
2004529001.tif 000017
2004529001.tif 000018
2004529001.tif 000019
2004529001.tif 000020
2004529001.tif 000021
2004529001.tif 000022
2004529001.tif 000023
2004529001.tif 000024
2004529001.tif 000025
2004529001.tif 000026
【国際公開パンフレット（コレクトバージョン）】
2004529001.tif 000027
【国際調査報告】
2004529001.tif 000028
2004529001.tif 000029
2004529001.tif 000030